(57)【特許請求の範囲】
【請求項１】
情報用変調方式と同期用変調方式とを時間的に混在させた伝送信号を送信する送信装置において、フレーム（もしくはスロット）の先頭に同期信号であることを特定するユニークワードを設定するとともに、前記フレーム（もしくはスロット）内の同期用変調方式の複数のデータに前記ユニークワードを分割して重畳させて前記伝送信号を生成し、該伝送信号を送信することを特徴とする送信装置。
【請求項２】
請求項１に記載の送信装置において、前記フレーム（もしくはスロット）内の同期用変調方式の全てのデータに、前記ユニークワードを繰り返し重畳させることを特徴とする送信装置。
【請求項３】
請求項１に記載の送信装置において、前記フレーム（もしくはスロット）内の同期用変調方式のデータには、前記ユニークワードが一部に組み込まれた伝送ＴＭＣＣ（Transmission and Multiplexing Configuration and Control）信号を重畳させることを特徴とする送信装置。
【請求項４】
情報用変調方式と同期用変調方式とを時間的に混在させた伝送信号を受信する受信装置において、前記伝送信号は、フレーム（もしくはスロット）の先頭に同期信号であることを特定するユニークワードが設定されるとともに、前記フレーム（もしくはスロット）内の同期用変調方式の複数のデータに前記ユニークワードが分割して重畳されており、前記フレーム（もしくはスロット）の先頭の同期信号と、前記フレーム（もしくはスロット）内の同期用変調方式の複数のデータの少なくとも一方から、前記ユニークワードを検出し、検出したユニークワードに基づいて基準信号を生成し、生成した前記基準信号を基に受信した前記伝送信号を復調することを特徴とする受信装置。
【請求項５】
請求項４に記載の受信装置において、前記フレーム（もしくはスロット）内の同期用変調方式の複数のデータを、少なくとも前記ユニークワードの長さだけ蓄積する蓄積部を備えることを特徴とする受信装置。
【請求項６】
請求項４又は５に記載の受信装置において、前記ユニークワードが重畳された前記フレーム（もしくはスロット）内の同期用変調方式のデータを、位相基準バースト信号として利用することを特徴とする受信装置。
【請求項７】
情報用変調方式と同期用変調方式とを時間的に混在させた伝送信号を送受信する送受信システムにおいて、
送信装置側でフレーム（もしくはスロット）の先頭に同期信号であることを特定するユニークワードを設定するとともに、前記フレーム（もしくはスロット）内の同期用変調方式の複数のデータに前記ユニークワードを分割して重畳させて前記伝送信号を生成し、
受信装置側で前記フレーム（もしくはスロット）の先頭の同期信号と、前記フレーム（もしくはスロット）内の同期用変調方式の複数のデータの少なくとも一方から、前記ユニークワードを検出し、検出したユニークワードに基づいて基準信号を生成し、生成した前記基準信号を基に受信した前記伝送信号を復調する
ことを特徴とする送受信システム。
【発明の詳細な説明】
【技術分野】
【０００１】
本発明は、送信装置、受信装置、及び送受信システムに関し、特に、送信側で伝送信号に同期信号を設定し、受信側において、受信した同期信号を基に基準信号を生成し、生成した基準信号を基に受信信号を復調する送受信システムに関する。
【背景技術】
【０００２】
情報を重畳した変調波を伝送する無線通信システムでは、伝送効率（伝送容量）の向上とともに、伝送特性（耐雑音強度）の向上が求められる。
【０００３】
伝送信号点として、１６値、６４値、２５６値など多数の信号点を有する変調方式は、伝送効率が高いため、情報伝送には望ましいが、高い雑音環境下においては、受信側での復調に大きな制限がある。一方、２値など信号点の少ない変調方式は、伝送効率は低いが、高い雑音環境下においても、受信側での正しい復調が可能となる。このため、現状の無線通信システムでは、情報伝送に向けた多数の信号点を有する変調方式（以降、「情報用変調方式」という。）と、復調性能の向上に向けた信号点の少ない（例えば、２値の信号点を有する）変調方式（以降、「同期用変調方式」という。）とを時間的に混在させることで、伝送効率の向上と伝送特性の向上の両立を図っている。
【０００４】
この両方式の使用に際して、受信装置での復調のしやすさを向上するため、それぞれの方式を伝送するタイミングを規定している。例えば、衛星放送システムでは、情報用変調方式と同期用変調方式とを一定時間で交互に複数回伝送するフレーム（もしくはスロット）を規定している（非特許文献１，２）。
【０００５】
一般的なフレーム（もしくはスロット）では、先頭において、ユニークワードの重畳を目的として、２０〜３０シンボルの同期用変調方式のデータが設定される。ここで、ユニークワードとは、送受信システムに用いられる伝送信号において、同期信号であることを意味する特定の文字列（コード）のことである。ユニークワードは、復調のための基準信号の生成に使用されるため、受信時に間違った特定が生じないよう、ある程度の内容を有する必要がある。例えば、非特許文献１では２６シンボル分、非特許文献２では２４シンボル分の同期用変調方式の信号がユニークワードに割り当てられている。このユニークワード以降のフレーム（もしくはスロット）は、１００〜２００シンボルの情報用変調方式と、数シンボルの同期用変調方式とが交互に繰り返されて、構成されている。
【０００６】
図３は、従来の伝送信号の構成例である。図３の伝送信号は、一つの変調スロットを示しており、先頭の２４シンボルは、フレーム（もしくはスロット）のヘッダとしての同期信号（Ａ）であり、ＢＰＳＫ（Binary Phase Shift Keying）や、π／２シフトＢＰＳＫ等の同期用変調方式を用いて、ユニークワードが重畳される。
【０００７】
次の１３６シンボルは、伝送主信号（Ｂ）であって、例えば、１６ＡＰＳＫ（Amplitude and Phase Shift Keying）や３２ＡＰＳＫ等の情報用変調方式を用いて、主たる伝送情報が分割して重畳される。
【０００８】
さらに次の４シンボルは、例えば、位相基準バースト信号（Ｄ）であり、ＢＰＳＫやπ／２シフトＢＰＳＫ等の同期用変調方式を用いて、ＰＮ（Pseudorandom Noise ：疑似ランダム雑音）符号が挿入される。この位相基準バースト信号（Ｄ）は、同期信号の一部として、基準信号の補正に利用される。
【０００９】
この後は、１３６シンボルの伝送主信号（Ｂ）と４シンボルの位相基準バースト信号（Ｄ）が、例えば６６回繰り返され、一つの変調スロットが構成される。更に、この変調スロットが複数（例えば、１２０スロット）集まって、１フレームが構成される。
【００１０】
なお、図３では、同期用変調方式の４シンボルを位相基準バースト信号として用いる例を説明したが、この同期用変調方式のシンボル部分に、ＴＭＣＣ（Transmission and Multiplexing Configuration and Control）情報に誤り訂正符号を付加した伝送ＴＭＣＣ信号を重畳させる伝送信号も用いられている（非特許文献２）。
【００１１】
次に、この伝送信号を送受信するシステムについて説明する。図４は、送信装置１１０と受信装置２１０を含む、従来の送受信システムを構成するブロック図の例である。
【００１２】
図４の送信装置１１０は、誤り訂正付加部１０，１１と、フレーム（スロット）構成部２０と、変調及び多重部３０とを含む。誤り訂正付加部１０は、情報（映像・音声）に対して誤り訂正符号を付加し、誤り訂正付加部１１は、制御信号（ＴＭＣＣ）に対して誤り訂正符号を付加する。また、フレーム（スロット）構成部２０は、誤り訂正付加部１０，１１の出力信号と、ユニークワードからなる同期信号と、ＰＮ符号からなる位相基準バースト信号とから、フレーム（スロット）を構成する。さらに、変調及び多重部３０は、構成されたフレーム（スロット）を変調及び多重化して、伝送路３００に対して送信する。
【００１３】
受信側においては、周波数（チャネル）の選択、変調波の復調、誤り訂正の復号を実施することにより、受信信号の情報を抽出する。図４の受信装置２１０は、復調及び分離部４０と、同期検出部５０と、絶対基準位相特定部５１と、バースト検出部５２と、相対位相特定部５３と、基準信号生成部６０と、誤り訂正復号部７０，７１とを含む。復調及び分離部４０は、伝送路３００を介して受信した伝送信号（変調信号）を復調し、各信号を種類ごとに分離する。同期検出部５０と絶対基準位相特定部５１により基準（絶対基準）となる位相を特定し、また、バースト検出部５２と相対位相特定部５３により同期の補正信号となる相対位相を特定し、これらを元に、基準信号生成部６０は基準信号を生成する。生成された基準信号に基づいて伝送信号の正確な復調を行い、さらに、誤り訂正復号部７０では伝送主信号の復号を行って情報を取り出し、誤り訂正復号部７１では制御信号（ＴＭＣＣ）の復号を行う。
【００１４】
このような伝送信号及び送受信システムは、例えば、ＢＳデジタル放送等の衛星放送システムに利用されている。そして、衛星放送においては、近年、電力の有効利用、周波数資源の有効活用などの観点から、アレーアンテナを活用するシステムが研究開発されている。例えば、２００６年に打ち上げられた技術試験衛星「ＥＴＳ−VIII（きく８号）」および２００８年に打ち上げられた超高速インターネット衛星「ＷＩＮＤＳ（きずな）」ではアレーアンテナを搭載し、実証実験が行われている。また、日本放送協会で検討している２１ＧＨｚ帯を使用する放送衛星では、アレーアンテナを用いて、降雨による電波減衰に応じて、適応的にアンテナ指向特性を変化させるための研究開発が行われている（非特許文献３）。
【先行技術文献】
【非特許文献】
【００１５】
【非特許文献１】鈴木陽一，他、「B-3-8  位相基準バースト信号を導入した広帯域衛星伝送用変復調器の性能評価」、2011年電子情報通信学会総合大会、通信講演論文集１、2011年3月、p.289
【非特許文献２】ＡＲＩＢ  ＳＴＤ−Ｂ４４、「高度広帯域衛星デジタル放送の伝送方式」、社団法人電波産業会、平成21年7月29日策定、p.13-14
【非特許文献３】中澤進，他、「２１ＧＨｚ帯放送衛星用ビームフォーミングネットワークの設計」、映像情報メディア学会技術報告（ITE Technical Report）、Vol.37, No.34, BCT2013-68、2013年7月、p.5-8
【発明の概要】
【発明が解決しようとする課題】
【００１６】
衛星放送システムにおいて、アレーアンテナを使用して、適応的にアンテナ指向特性を変化させる際には、目的とする放射パターンに応じて各放射素子の振幅・位相を制御して変化させる。このようなシステムでは、振幅・位相を制御する際、伝送信号の振幅・位相に不連続性が生じるため、受信側では制御前と異なる振幅・位相を有する伝送信号を受信するために、復調の基準となる基準信号を、制御後の伝送信号に対応した新たな基準信号にシフトさせなければならない。したがって、基準信号が更新されるまでの間、受信装置において正常な受信ができなくなる可能性がある。
【００１７】
従来技術では、フレーム（もしくはスロット）の先頭データのみに、同期用変調方式でユニークワードが重畳されるため、受信装置において、変調波の復調に必要となる基準信号の生成には、ユニークワードが重畳されているフレーム（もしくはスロット）の先頭データの受信が必要となる。例えば、既知の特定の文字列（ユニークワード）がＢＰＳＫ等の２値信号で伝送される場合、受信された２値信号の位相及び振幅を元に、伝送信号点配置の基準軸を定める基準信号（基準位相）が生成できる。このユニークワードから生成された基準位相を、本明細書では、絶対基準位相、又は、絶対基準信号と呼ぶことがある。
【００１８】
なお、前述のとおり、フレーム（もしくはスロット）内の先頭データ以外でも同期用変調方式によるデータが伝送されているが、一般にこのデータには特定の内容は重畳されておらず、例えばＰＮ符号が送信される。したがって、伝送内容が特定できないためこれから基準信号を生成することはできない。しかし、２値などの少ない信号点のみである特性を活用することで、位相の相対的な基準（１８０度のずれを含む可能性があり、絶対的な基準とはならない）を得ることができ、基準信号（絶対基準信号）の相対的な補正が可能となる補強信号としてのみ使用されている。先頭データ以外の同期用変調方式によるデータから生成された位相の基準を、本明細書では、相対位相、あるいは、相対基準信号と呼ぶことがある。
【００１９】
従来技術では、受信装置において、フレーム（もしくはスロット）の先頭データで伝送されるユニークワードを受信した後に正しい基準信号の生成が可能となるため、正しい基準信号が生成される前に受信したデータは破棄されてしまうことにより、受信信号の情報抽出に必要となる時間が長くなるという課題がある。
【００２０】
基準信号を短時間に生成するためには、同期用変調方式で変調される同期信号（ユニークワード）を、フレーム（もしくはスロット）中にさらに多数追加挿入することが一つの方法であるが、同期用変調方式に使用するシンボル数の増加は、情報用変調方式に使用するシンボル数の減少となり、伝送効率が低下してしまう。
【００２１】
従って、上記のような問題点に鑑みてなされた本発明の目的は、高い伝送効率を維持し、且つ、伝送信号の振幅・位相に不連続性が生じた場合であっても、基準信号を速やかに生成し、受信側において正常な受信ができなくなる時間を短縮化することが可能な、送信装置、受信装置、及び送受信システムを提供することにある。
【課題を解決するための手段】
【００２２】
上記課題を解決するために本発明に係る送信装置は、情報用変調方式と同期用変調方式とを時間的に混在させた伝送信号を送信する送信装置において、フレーム（もしくはスロット）の先頭に同期信号であることを特定するユニークワードを設定するとともに、前記フレーム（もしくはスロット）内の同期用変調方式の複数のデータに前記ユニークワードを分割して重畳させて前記伝送信号を生成し、該伝送信号を送信することを特徴とする。
【００２３】
また、前記送信装置は、前記フレーム（もしくはスロット）内の同期用変調方式の全てのデータに、前記ユニークワードを繰り返し重畳させることが望ましい。
【００２４】
また、前記送信装置は、前記フレーム（もしくはスロット）内の同期用変調方式のデータには、前記ユニークワードが一部に組み込まれた伝送ＴＭＣＣ（Transmission and Multiplexing Configuration and Control）信号を重畳させることが望ましい。
【００２５】
上記課題を解決するために本発明に係る受信装置は、情報用変調方式と同期用変調方式とを時間的に混在させた伝送信号を受信する受信装置において、前記伝送信号は、フレーム（もしくはスロット）の先頭に同期信号であることを特定するユニークワードが設定されるとともに、前記フレーム（もしくはスロット）内の同期用変調方式の複数のデータに前記ユニークワードが分割して重畳されており、前記フレーム（もしくはスロット）の先頭の同期信号と、前記フレーム（もしくはスロット）内の同期用変調方式の複数のデータの少なくとも一方から、前記ユニークワードを検出し、検出したユニークワードに基づいて基準信号を生成し、生成した前記基準信号を基に受信した前記伝送信号を復調することを特徴とする。
【００２６】
また、前記受信装置は、前記フレーム（もしくはスロット）内の同期用変調方式の複数のデータを、少なくとも前記ユニークワードの長さだけ蓄積する蓄積部を備えることが望ましい。
【００２７】
また、前記受信装置は、前記ユニークワードが重畳された前記フレーム（もしくはスロット）内の同期用変調方式のデータを、位相基準バースト信号として利用することが望ましい。
【００２８】
上記課題を解決するために本発明に係る送受信システムは、情報用変調方式と同期用変調方式とを時間的に混在させた伝送信号を送受信する送受信システムにおいて、送信装置側でフレーム（もしくはスロット）の先頭に同期信号であることを特定するユニークワードを設定するとともに、前記フレーム（もしくはスロット）内の同期用変調方式の複数のデータに前記ユニークワードを分割して重畳させて前記伝送信号を生成し、受信装置側で前記フレーム（もしくはスロット）の先頭の同期信号と、前記フレーム（もしくはスロット）内の同期用変調方式の複数のデータの少なくとも一方から、前記ユニークワードを検出し、検出したユニークワードに基づいて基準信号を生成し、生成した前記基準信号を基に受信した前記伝送信号を復調することを特徴とする。
【発明の効果】
【００２９】
本発明における送信装置、受信装置、及び送受信システムによれば、高い伝送効率（伝送容量）を維持し、且つ、伝送信号の振幅・位相に不連続性が生じた場合であっても、受信側において正常な受信ができなくなる時間を短縮化することができる。
【図面の簡単な説明】
【００３０】
【図１】本発明で利用する伝送信号の構成例である。
【図２】本発明の送受信システムを構成するブロック図の例である。
【図３】従来の伝送信号の構成例である。
【図４】従来の送受信システムを構成するブロック図の例である。
【発明を実施するための形態】
【００３１】
以下、本発明の実施の形態について説明する。
【００３２】
（実施の形態）
本発明では、送信装置により、フレーム（もしくはスロット）の先頭データに加えて、１００〜２００シンボルの情報用変調方式の伝送主信号の間に配置された同期用変調方式のデータを使用して、ユニークワードの重畳を行い、受信装置においてこれらユニークワードを利用して、基準信号（復調の基準となる位相）を速やかに生成する。
【００３３】
図１に、本発明で用いる伝送信号の構成例を示す。ここでは、図３に示した従来例の伝送信号と同様に、フレーム（もしくはスロット）の先頭に２４シンボルの同期用変調方式で変調されたヘッダを配置し、以降、１３６シンボルの情報用変調方式で変調された伝送主信号と、４シンボルの同期用変調方式で変調された信号とを交互に６６回繰り返す構成を例として説明する。
【００３４】
図１の伝送信号は、一つの変調スロットを示しており、この変調スロットが例えば１２０個集まって１フレームが構成される。図３の伝送信号と同様に、先頭の２４シンボルは、フレーム（もしくはスロット）のヘッダとしての同期信号（Ａ）であり、例えば、π／２シフトＢＰＳＫ（Binary Phase Shift Keying）等の同期用変調方式を用いて変調され、同期信号を特定するためのユニークワードが重畳される。なお、このユニークワードは２４シンボルに限定されるものではないが、誤った特定を生じないように一定程度の識別性を有するユニークワードにするためには、同期用変調方式で変調された２０〜３０シンボル程度の信号であることが望ましい。
【００３５】
次の１３６シンボルは、伝送主信号（Ｂ）であって、例えば、１６ＡＰＳＫ（Amplitude and Phase Shift Keying）や３２ＡＰＳＫ等の情報用変調方式を用いて、主たる伝送情報（例えば、映像・音声データ等のストリーム）が符号化され、所定長さに分割されて重畳される。重畳される伝送情報は、例えば、符号化されたデータに誤り訂正（外符号付加）を行い、電力拡散を行った後、さらに誤り訂正（内符号付加）を行い、これをインターリーブ、及びマッピングを行うこと等により作成され、例えば、１３６シンボルずつ区切られて変調スロットに配置される。なお、情報用変調方式としては、上記の３２ＡＰＳＫ等に限られず、多数の伝送信号点配置を用いた任意の変調方式を利用することができる。また、伝送主信号（Ｂ）の長さも１３６シンボルに限られず、伝送信号の構造として、適宜設定することができる。
【００３６】
次の４シンボルは、ユニークワードが重畳された同期用変調方式の信号（Ｃ）である。この信号（Ｃ）は、変調方式として、例えば、ＢＰＳＫや、π／２シフトＢＰＳＫ等の同期用変調方式が用いられ、従来の位相基準バースト信号としての機能も有する。本発明で使用される伝送信号は、先頭以外の同期用変調方式で変調された信号にも、ユニークワードが重畳される点が、従来（図３）の伝送信号と異なっている。先頭の２４シンボルで用いた同期信号を特定するためのユニークワードと同じワードを、例えば６分割して、１番目から６番目（＃１〜＃６）の同期用変調方式の信号（Ｃ）（４シンボルごとにブロック化された信号）に重畳させる。４シンボル×６の２４シンボルで、同期信号（Ａ）と同一のユニークワードが構成される。なお、同期用変調方式の信号（Ｃ）は、２値信号であることを利用して、相対位相の検出にも必要に応じて利用することができ、ユニークワードが重畳された位相基準バースト信号（Ｃ）ということができる。
【００３７】
フレームヘッドの同期信号（Ａ）の後は、１３６シンボルの伝送主信号（Ｂ）と４シンボルのユニークワードが重畳された位相基準バースト信号（Ｃ）が、例えば６６回繰り返され、一つの変調スロットが構成されるが、図１の伝送信号の例では、＃１〜＃６６の同期用変調方式の信号（Ｃ）の中で、最大１１回のユニークワードを伝送することができる。
【００３８】
なお、同期用変調方式の位相基準バースト信号（Ｃ）にユニークワードを重畳させる回数は適宜設定可能であるが、ユニークワードによる同期の検出をより早く行うためには、同期用変調方式の信号（Ｃ）の全てにユニークワードを重畳させることが、最も効率的である。また、同期用変調方式のデータの長さは、４シンボルに限定されず、伝送信号の構造として、適宜設定することができる。例えば、伝送主信号（Ｂ）の間に同期用変調方式のデータが６シンボルずつのブロックで挿入されてなる伝送信号の構造では、２４シンボルのユニークデータを６シンボルの４個のブロックで伝送することができる。
【００３９】
このように、本発明では、２０〜３０シンボル分の容量を有するユニークワードを、数シンボルの同期用変調方式の信号部分（従来、情報を載せていない位相基準バースト信号部分）に、複数に分割して重畳して伝送する。これにより、情報用変調方式に対する同期用変調方式の割合を増やすことなく（すなわち、伝送効率を低下することなく）、ユニークワードを重畳した同期用変調方式のデータを短時間で繰り返し伝送することが可能となる。受信装置において、この繰り返し伝送されるユニークワードを受信することで、速やかにユニークワードを特定することができ、絶対基準信号の生成に要する時間を短縮することが可能となる。
【００４０】
なお、この場合においても、同期用変調方式の信号部分（Ｃ）は、従来技術と同様、２値などの少ない信号点のみを活用することで、基準信号の相対的な補正（絶対基準信号の位相と２値信号から得られた位相の相対的な差を収束させる補正）が可能となる補強信号として使用することが可能であるため、従来技術と同等の伝送特性（耐雑音強度）が確保される。
【００４１】
次に、伝送信号を送受信するシステムについて説明する。図２は、本発明の送信装置１００と受信装置２００を含む、送受信システムを構成するブロック図の例である。
【００４２】
図２の送信装置１００は、誤り訂正付加部１０，１１と、フレーム（スロット）構成部２０と、変調及び多重部３０とを含む。本発明の送信装置１００が、従来の送信装置１１０と異なる点は、位相基準バースト信号として、同期信号と同一のユニークワードが入力される点である。
【００４３】
誤り訂正付加部１０は、情報（映像・音声データ等）に対して誤り訂正符号を付加し、誤り訂正付加部１１は、制御信号（ＴＭＣＣ：Transmission and Multiplexing Configuration and Control）に対して誤り訂正符号を付加する。なお、電力拡散やビットインターリーブ等の信号処理も必要に応じて行って良い。
【００４４】
フレーム（スロット）構成部２０は、誤り訂正付加部１０，１１の出力信号と、ユニークワードからなる同期信号と、ユニークワードからなる位相基準バースト信号とから、例えば、図１に示す変調スロット（フレーム）を構成する。すなわち、フレーム（スロット）構成部２０は、ユニークワードを所定の方法で符号化しマッピングして、先頭の２４シンボルの同期信号（Ａ）にユニークワードを重畳させるとともに、ユニークワードを、例えば４シンボルずつ６分割して、伝送主信号（Ｂ）の間の４シンボルの同期用変調方式で変調された信号（Ｃ）の１番目から６番目（＃１〜＃６）に重畳させる。同様に、他の位相基準バースト信号部分についても、４シンボルの信号（Ｃ）の６個を単位（＃７〜＃１２、＃１３〜＃１８、・・・＃６１〜＃６６）として、計１１回のユニークワードを重畳させる。伝送主信号（Ｂ）については、従来と同様にフレーム（もしくはスロット）内に配置して良い。
【００４５】
さらに、変調及び多重部３０は、構成されたフレームを変調及び多重化して、伝送路３００に対して送信する。
【００４６】
このようにして、図１の構成を備えた伝送信号が送信装置１００によって構成され、伝送路３００に送信される。
【００４７】
図２の受信装置２００は、復調及び分離部４０と、同期検出部５０と、絶対基準位相特定部５１と、バースト検出部５２と、相対位相特定部５３と、基準信号生成部６０と、誤り訂正復号部７０，７１と、蓄積部８０とを含む。本発明の受信装置２００が、従来の受信装置２１０と異なる点は、蓄積部８０を備え、位相基準バースト信号を蓄積して、ユニークワードを検出する点である。
【００４８】
復調及び分離部４０は、伝送路３００を介して受信した変調信号を復調し、フレーム（スロット）ヘッダとしての同期信号、位相基準バースト信号、映像・音声等の情報、制御信号等を種類ごとに分離し、各信号の処理部に出力する。
【００４９】
同期検出部５０は、差動検波等の検出手段により、受信信号から同期信号（ユニークワード）を検出する。本受信装置２００では、復調及び分離部４０で分離されたフレーム（スロット）ヘッダのデータからだけではなく、後述の蓄積部８０で蓄積された位相基準バースト信号のデータからも、ユニークワードを検出する。
【００５０】
絶対基準位相特定部５１は、同期検出部５０で得られたユニークワードの検出時の位相状態を元に、絶対基準位相を特定し、基準信号生成部６０に出力する。
【００５１】
バースト検出部５２は、受信した位相基準バースト信号について、差動検波等の検出手段によりバースト信号の位相状態を検出し、相対位相検出部５３と蓄積部８０に出力する。
【００５２】
相対位相特定部５３は、バースト信号検出時の位相状態に基づいて、相対位相（１８０度の未確定性を含む基準位相）を特定して絶対基準信号を補正するための補強信号を生成し、基準位相生成部６０に出力する。
【００５３】
蓄積部８０は、バースト検出部５２で検出された位相基準バースト信号を、ユニークワードの長さになるまで蓄積し、その後、同期検出部５０に出力する。例えば、図１の伝送信号であれば、４シンボルの位相基準バースト信号（Ｃ）を蓄積し、信号（Ｃ）の６個分（４シンボル×６＝２４シンボル）を蓄積する毎に、同期検出部５０に出力する。
【００５４】
基準信号生成部６０は、絶対基準特定部５１で特定された絶対基準位相を元に、さらに、相対位相特定部５３からの補助的な相対位相に基づいて、復調の基準となる、すなわち、伝送信号点配置の基準軸を定める基準信号を生成する。
【００５５】
この後、復調及び分離部４０は、得られた基準信号に基づいて伝送信号の正確な復調を行う。また、誤り訂正復号部７１では正確に復調された信号から制御信号の復号を行い、受信装置は得られた制御信号に基づいて、さらに受信方式の調整を行う。そして、正しく調整された復調及び分離部４０からの信号に基づいて、誤り訂正復号部７０で情報（映像・音楽等）の復号を行う。このようにして、受信信号から情報を抽出する。
【００５６】
上記実施の態様では、同期用変調方式の４シンボルの位相基準バースト信号にユニークワードを重畳する例を説明したが、前述のとおり、情報用変調信号の変調データに挟まれた同期用変調方式の信号部分に、伝送ＴＭＣＣ信号を重畳させる伝送信号（非特許文献２）についても、本発明は適用できる。
【００５７】
このような伝送信号については、伝送ＴＭＣＣ信号の生成過程において、その一部にユニークワードを組み込み、送信装置においては、同期用変調方式の信号部分に、ユニークワードの組み込まれた伝送ＴＭＣＣ信号を重畳させることができる。受信装置においては、同期用変調方式で送信された伝送ＴＭＣＣ信号を受信し、伝送ＴＭＣＣ信号から組み込まれたユニークワードを抽出して、抽出されたユニークワードに基づいて、絶対基準信号を生成することができる。
【００５８】
また、単純に、同期用変調方式の信号部分の一部に伝送ＴＭＣＣ信号を載せ、他の部分にユニークワードを重畳させても良い。
【００５９】
図１に示す伝送信号に基づいて、本発明の効果を説明する。
【００６０】
本発明では、例えば、スロット先頭の２４シンボルの同期用変調方式データを使用してひとつのユニークワードを伝送するとともに、４シンボルの同期用変調方式データを６個分使用してひとつのユニークワードを伝送する。図１の伝送信号の例では、スロットには４シンボルの同期用変調方式が６６個分伝送されるため、先頭以外の同期用変調方式データを利用して、ユニークワードを１１回伝送することが可能となる。したがって、従来は、スロット毎に、先頭でのみ、１回のユニークワードが伝送されるが、本発明では、スロット毎に、先頭で１回、それ以降で１１回、合計１２回のユニークワードの伝送が可能となる。
【００６１】
受信装置では、同期用変調方式で受信した信号から抽出した情報を基に２４シンボルのデータを生成し、ユニークワードとの比較を行い、ユニークワードと合致するという条件を満足した場合にのみ、基準信号を更新する。本発明の伝送信号によれば、次のスロットの先頭を待つことなく、変調スロットの途中のデータによりユニークワードを検出でき、これにより、受信装置において、絶対基準信号の生成に要する時間を短縮することが可能となる。
【００６２】
また、ユニークワードとの合致を条件とする際、誤検出を防止するため、前方・後方保護として、ユニークワードを連続して複数回検出することを条件とすることが一般に採用されているが、この場合であっても優れた効果を奏する。例えば、ユニークワードの４回連続検出を条件とする場合、従来手法では４スロット分((24＋(136＋4）×66)×4)の37,056シンボル分が必要となるが、本発明では、先頭から４回目のユニークワードを検出するまでの(24＋((136+4）×6×3))の2,544シンボル分となり、検出時間を大幅に減少することが可能となる。
【００６３】
このように、本発明は、同期信号の伝送に際し、伝送信号を構成するフレーム（もしくはスロット）の先頭で伝送する同期信号に加えて、フレーム（もしくはスロット）内で情報伝送に使用する主信号の間で伝送する同期信号においても、絶対基準位相の特定が可能となるユニークワードを伝送することにより、伝送システムで使用される機器の制御や切り替えなどで生じる瞬時的な信号位相の不連続性により、受信装置で発生するバーストエラーの短縮化を可能とする。
【００６４】
上述の実施形態は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態に記載の複数の構成ブロックを１つに組み合わせたり、あるいは１つの構成ブロックを分割したりすることが可能である。
【産業上の利用可能性】
【００６５】
本発明の装置は、衛星放送システムのみならず、情報用変調方式と同期用変調方式とを時間的に混在させた伝送信号を送信する送受信システムに広く用いられる。特に、送信信号の位相が変化して、同期を再確立する頻度の高いシステムにおいて有用である。
【符号の説明】
【００６６】
１０，１１  誤り訂正付加部
２０  フレーム（スロット）構成部
３０  変調及び多重部
４０  復調及び分離部
５０  同期検出部
５１  絶対基準位相特定部
５２  バースト検出部
５３  相対位相特定部
６０  基準信号生成部
７０，７１  誤り訂正復号部
８０  蓄積部
１００，１１０  送信装置
２００，２１０  受信装置
３００  伝送路
【図１】
0006549943.tif 000002
【図２】
0006549943.tif 000003
【図３】
0006549943.tif 000004
【図４】
0006549943.tif 000005